(57)【要約】      （修正有）【課題】湿式塗装ブースの粕池の水面上に浮上した、不粘着化した大きな塗料粕や泡状の塗料粕であっても効率的に捕集回収でき、かつ、粕池液面とポンプ設置部の高低差が大きい場合も、十分なポンプ揚程が得られる塗料粕捕集回収装置を提供する。【解決手段】開口部が、ブース循環水の表層部分を横向きに吸引するように、水面に横向きに開口し、開口下部１７が上部よりも延伸された形状を有する塗料粕吸引捕集部１６がフロート１８に取り付けられ、かつ、ホース１９を介して、容積式ポンプに接続されている。【選択図】図２
0003196996.tif 000002
【実用新案登録請求の範囲】
【請求項１】
湿式塗装ブースの粕池において、ブース循環水の表面に浮上した不粘着化した塗料粕、及びブース循環水を含むブース循環水の表層部分を吸引する塗料粕吸引捕集部と、容積式ポンプを接続する塗料粕捕集回収装置であって、その塗料粕吸引捕集部の開口部がブース循環水の水面に対して垂直方向に開口し、該開口部の下部が上部に比べて延伸された形状を有することを特徴とする塗料粕捕集回収装置。
【考案の詳細な説明】
【技術分野】
【０００１】
本考案は、湿式塗装ブースの粕池の水面上に浮上した塗料粕を捕集し回収する装置に関する。
【背景技術】
【０００２】
従来、自動車や電気製品等の塗装法の一種として、塗料を被塗装物に噴霧するスプレー塗装法がある。スプレー塗装法では塗料品質の保持及び作業環境の保全のため、湿式塗装ブース内で塗料の噴霧が行われている。この湿式塗装ブースは、被塗装物に塗料を噴霧するための塗装室と、塗装室の空気を吸引するためのファンを有するダクトと、吸引した空気とブース循環水とを接触させるための接触部と、ブース循環水を貯留可能な粕池とが備えられている。
【０００３】
この湿式塗装ブースでは、被塗装物に塗着しなかった未塗着塗料がファンによって空気とともにダクト内に吸引される。この際、未塗着塗料は接触部においてブース循環水と接触して捕集され、未塗着塗料を沈殿あるいは浮上させることにより分離される。こうして分離された未塗着塗料は回収される。
【０００４】
未塗着塗料の沈殿あるいは浮上、及びその回収は主に粕池で行われるが、沈殿した塗料粕の回収は塗装工場が一定期間操業を休止する時期に合わせて行われる粕池清掃時に主に人力で実施されることが通常であり、操業日程との調整、多量のブース循環水の排水もしくは一時貯留、及び回収した多量の塗料粕の処理など、多くの問題点があった。一方、浮上した塗料粕の捕集回収は塗装工場が操業中であっても連続的に実施できるため、多くの塗装ブースで塗料粕の浮上回収が採用されるようになった。
【０００５】
塗料粕の浮上回収に用いる塗料粕捕集回収装置、及び方法としては、バケットによる汲み取り、フロートポンプによる吸引、あるいはスキマーによる掻き寄せなどの手段が知られており、特にフロートポンプによる吸引を主として他の手段を組み合わせた装置や方法が多く提案されている。例えば、特許文献１にはフロートポンプにより回収した塗料粕を傾斜式固液分離装置に送る塗料粕の固液分離方法が開示されており、特許文献２にはフロートポンプのフロート近傍の液面を揺動させて波を生成させて、フロートポンプの吸込口に引っ掛かった大きな塗料粕を吸込口に落とし込む液面浮遊物の吸取装置が開示され、更に特許文献３の図２には、フロートポンプの吐出側から吸引側へ吐出液の一部を戻してエジェクタ効果を発揮させ、吸入効率を上げる構成が示されている。特許文献４には前記のエジェクタノズルに替えて空気吸入口を設け、後続の分離層での塗料粕の浮上分離効率を上げる工夫が示されている。
【０００６】
これらの従来技術では粕池にフロートポンプを浮かべて浮上した塗料粕を回収するという技術思想が共通しており、通常、フロートポンプの開口部である吸込口は、ブース循環水の水面に対して平行方向のやや水面下に、上方に開口して設置され、周辺水面から塗料粕とブース循環水を吸引する。しかし、この開口部の欠点は、大きな塗料粕が開口部の外縁部に引っ掛かって、上手く吸込口に落下しないことである。その対策として、上記特許文献２にはフロートポンプのフロート近傍の液面を揺動させて波を生成させて、フロートポンプの吸込口に引っ掛かった大きな塗料粕を吸込口に落とし込む液面浮遊物の吸取装置が開示されているが、そのような対策を追加すると、捕集回収装置の操作が複雑になり、効率的な塗料粕回収を達成することが難しくなる。また、他の欠点は、ブース循環水の水面上に浮上した泡状の粕は軽いので、泡の下部のブース循環水だけを吸込み、泡状の粕を捕集することが難しい。一方、フロートポンプは、遠心ポンプや軸流ポンプの水中ポンプであるが、後続の固液分離装置等との高低差が大きい場合は揚程を高くするために羽根車とポンプケーシングの隙間（ギャップ）を小さくしなければならず、送液量が低下して効率的な塗料粕捕集回収が達成できなくなるとともに、小さい隙間には大きな塗料粕が詰まりやすくなり、ポンプの運転停止を引き起こす。更に、該フロートポンプ及び付帯する装置、機材に不具合が生じた場合は、粕池のいわゆる「岸」にフロートポンプを中心とする捕集回収装置を引き寄せ、あるいは岸に引き上げて修理する必要があり、このような作業は煩雑で手間のかかるものである。
【０００７】
一方、特許文献５、６には、開口部（＝吸込口）がブース循環水の水面に対して垂直方向に開口する、すなわち、横方向に開口して設置されている塗料粕吸引捕集部と、それに接続するポンプ部分をいわゆる粕池の岸に置く塗料粕捕集回収装置が開示されている。このような方向の開口部であれば、吸込口に大きな塗料粕が引っ掛かる、泡状の粕を捕集できないなどの、上方に開口して設置される形式の吸込口の欠点は解消されるが、開口部の上下位置が下過ぎると、浮上した塗料粕以外にブース循環水を多く吸込み、逆に上過ぎると空気を多く吸込むという欠点がある。特許文献６の図２には、水位監視装置をエアシリンダーと連動させ、吸込口をエアシリンダーで押すことによって吸込口の上下位置を微調節する方法が示されている。しかし、このような付帯機器を常に調節して適正な位置を維持し続けることは煩雑である。また、特許文献５、６の、いわゆる粕池の岸の地上部分に設置したポンプの種類や性能については何ら記載されておらず、示唆する記載も無いが、一般に多用される遠心ポンプでは、吸込んだ空気によるキャビテーション現象やエアハンマ現象を起こしやすく、また、最近の工場用地の有効利用によって粕池が地下、ポンプが地上に設置される場合は、高いポンプ揚程も要求される。
【０００８】
以上のことから、湿式塗装ブース粕池のブース循環水の表面に浮上した塗料粕が大きな塗料粕や泡状の塗料粕であっても、効率的に捕集回収でき、かつ、粕池液面とポンプ設置部の高低差が大きい場合も、十分なポンプ揚程が得られる塗料粕捕集回収装置が求められている。
【先行技術文献】
【特許文献】
【０００９】
【特許文献１】特開平７−４７３５４号公報
【特許文献２】特開平８−２５２５７７号公報
【特許文献３】特開２００３−２８４９７８号公報
【特許文献４】特開２００４−２３７１７５号公報
【特許文献５】実開昭５５−２８４５１号公報
【特許文献６】特開平７−８８２号公報
【考案の概要】
【考案が解決しようとする課題】
【００１０】
本考案は、湿式塗装ブースの粕池の水面上に浮上した塗料粕を捕集回収する装置であって、大きな塗料粕や泡状の塗料粕であっても効率的に捕集回収でき、かつ、粕池液面とポンプ設置部の高低差が大きい場合も、十分なポンプ揚程が得られる塗料粕捕集回収装置を提供することを目的としている。
【課題を解決するための手段】
【００１１】
本考案者は、前記課題を達成するために鋭意研究を重ねた結果、開口部がブース循環水の水面に対して垂直方向に開口する、すなわち、横方向に開口して設置されている塗料粕吸引捕集部の開口部（＝吸込口）の下部が上部に比べて延伸された形状であれば、大きな塗料粕や泡状の塗料粕であっても効率的に捕集回収でき、かつ、延伸された下部構造が開口部の下層からブース循環水の吸込みを抑え、その下部の先端部で必要最小限のブース循環水をすくい取るように吸引できることができることを見出した。また、この塗料粕吸引捕集部に、キャビテーション現象が起こらず、エアハンマ現象も起こしにくい容積式ポンプを接続することによって、粕池液面とポンプ設置部の高低差が大きい場合も、十分なポンプ揚程が得ることができ、本考案を成すに至った。
【００１２】
すなわち、請求項１に係る考案は、湿式塗装ブースの粕池において、ブース循環水の表面に浮上した不粘着化した塗料粕、及びブース循環水を含むブース循環水の表層部分を吸引する塗料粕吸引捕集部と、容積式ポンプを接続する塗料粕捕集回収装置であって、その塗料粕吸引捕集部の開口部がブース循環水の水面に対して垂直方向に開口し、該開口部の下部が上部に比べて延伸された形状を有することを特徴とする塗料粕捕集回収装置である。
【考案の効果】
【００１３】
本考案の塗料粕捕集回収装置によれば、大きな塗料粕や泡状の塗料粕であっても効率的に捕集回収でき、かつ、粕池液面とポンプ設置部の高低差が大きい場合も、十分なポンプ揚程が得られるため、安定で効率的な湿式塗装ブースの塗料粕捕集回収を達成することができる。
【図面の簡単な説明】
【００１４】
【図１】本考案の実施例における全体構成を説明するための概略図である。
【図２】本考案の塗料粕捕集回収装置における、水面に対して垂直方向に開口し、横向きに吸引する形状であって、該開口部の下部が上部に比べて延伸された形状を有する塗料粕吸引捕集部の一例を示す図である。
【図３】比較例１の塗料粕捕集回収装置における、水面に対して垂直方向に開口し、横向きに吸引する形状であって、該開口部の下部と上部が同じ長さ・垂直位置にある形状を有する塗料粕吸引捕集部の一例を示す図である。
【図４】比較例２、３の塗料粕捕集回収装置における、水面に対して水平方向に開口し、上向きの吸込口を有する塗料粕吸引捕集部の一例を示す図である。
【考案を実施するための形態】
【００１５】
本考案は、湿式塗装ブースの粕池において、ブース循環水の表面に浮上した不粘着化した塗料粕、及びブース循環水を含むブース循環水の表層部分を吸引する塗料粕吸引捕集部と、容積式ポンプを接続する塗料粕捕集回収装置であって、その塗料粕吸引捕集部の開口部がブース循環水の水面に対して垂直方向に開口し、該開口部の下部が上部に比べて延伸された形状を有することを特徴とする塗料粕捕集回収装置である。
【００１６】
本考案における湿式塗装ブースは、自動車や電気製品等の塗装法の一種であるスプレー塗装法において、被塗装物に塗料を噴霧するための塗装室と、塗装室の空気を吸引するためのファンを有するダクトと、吸引した空気とブース循環水とを接触させるための接触部と、ブース循環水を貯留可能な粕池とが備えている形式の塗装ブースである。
【００１７】
本考案における、湿式塗装ブースの粕池において、ブース循環水の表面に浮上した不粘着化した塗料粕は、ブース循環水の水面上に浮いた塊状の大きな塗料粕やブース循環水の水面上に浮上した泡状の粕等を含み、それらの塗料粕は浮上処理、又は浮上分散処理によって得ることができる。
【００１８】
前記の浮上処理、又は浮上分散処理に用いられる不粘着化剤としては、メラミン−アルデヒド樹脂酸コロイド、フェノール−ホルムアルデヒド樹脂、ポリオレフィン樹脂エマルション、高級脂肪酸エマルション、高級アルコールエマルション、ポリ塩化アルミニウム、硫酸アルミニウム、アルミナゾル、ベントナイト、セピオライトなどが使用でき、対象となる塗料の種類や性状に合わせて適宜選択できるが、好ましくは、メラミン−アルデヒド樹脂酸コロイド、フェノール−ホルムアルデヒド樹脂、ポリオレフィン樹脂エマルション、高級脂肪酸エマルション、高級アルコールエマルション、アルミナゾルである。
【００１９】
該不粘着化剤の添加量は、対象となる塗料の種類や性状に合わせて適宜選択できるが、通常は３〜１０重量％対未塗着塗料である。
【００２０】
また、前記の浮上分散処理には、通常、高分子凝集剤が併用され、その高分子凝集剤としては、ポリアクリルアミド、アクリルアミド−アクリル酸共重合体、ポリアクリルアミノエチルトリメチルアンモニウムクロライド、ポリメタクリルアミノエチルトリメチルアンモニウムクロライド、アクリルアミド−アクリルアミノエチルトリメチルアンモニウムクロライド共重合体、アクリルアミド−メタクリルアミノエチルトリメチルアンモニウムクロライド共重合体、アクリルアミド−[２−（アクリロイルオキシ）エチル]ベンジルジメチルアンモニウムクロライド・[２−（アクリロイルオキシ）エチル]トリメチルアンモニウム共重合体、ＤＡＤＭＡＣ−アクリルアミド共重合体などが使用でき、対象となる塗料の種類や性状に合わせて適宜選択できるが、好ましくは、アクリルアミド−アクリル酸共重合体、アクリルアミド−アクリルアミノエチルトリメチルアンモニウムクロライド共重合体、アクリルアミド−メタクリルアミノエチルトリメチルアンモニウムクロライド共重合体、アクリルアミド−[２−（アクリロイルオキシ）エチル]ベンジルジメチルアンモニウムクロライド・[２−（アクリロイルオキシ）エチル]トリメチルアンモニウム共重合体である。
【００２１】
該高分子凝集剤の添加量は、対象となる塗料の種類や性状に合わせて適宜選択できるが、通常は０．１〜２重量％対未塗着塗料である。
【００２２】
本考案における塗料粕吸引捕集部は、湿式塗装ブースの粕池において、ブース循環水の表面に浮上した不粘着化した塗料粕、及びブース循環水を含むブース循環水の表層部分を吸引する構造物であり、その開口部（＝吸込口）がブース循環水の水面に対して垂直方向に開口し、該開口部の下部が上部に比べて延伸された形状を有することを特徴とする。
【００２３】
本考案で用いる容積式ポンプは、往復ポンプと回転ポンプに分類され、往復ポンプの種類として、ピストンポンプ、プランジャーポンプ、ベローズポンプ、及びダイヤフラムポンプ等があり、回転ポンプの種類として、ギアーポンプ（＝歯車ポンプ）、ベーンポンプ、ネジポンプ、及びローラーポンプ等があり、一般的に高い揚程が得られ、キャビテーション現象が起こらず、エアハンマ現象も起こし難い特徴がある。中でも、捕集した大きな塗料粕が比較的壊されずに移送できる往復ポンプが好ましく、更に送液量の大きいダイヤフラムポンプが特に好ましい。
【００２４】
また、本考案で用いる容積式ポンプの動力源としては、モーター駆動、ソレノイド駆動、又はエア駆動等の種類があるが、いずれも適用でき、適宜選択できる。
【００２５】
本考案の塗料粕捕集回収装置に後続する固液分離装置は、各種の装置が選択でき、例えば、デカンターやスキマー付き加圧浮上装置などが挙げられるが、特に加圧浮上装置は、往復ポンプによって大きな塗料粕が壊されずに導入されれば、良好な固液の浮上分離効率が得られるため、本考案の塗料粕捕集回収装置に往復ポンプを採用した場合には、後続する固液分離装置として適している。
【００２６】
本考案の塗料粕捕集回収装置について、例えば、図１に基づいて、塗料粕吸引捕集部の開口部（＝吸込口）の上下位置の設定方法について説明すると、塗料粕吸引捕集部５にフロート６を付属させ、ブース循環水の水面に横向きに開口部を設置して粕池に浮かべ、その開口部の上部に比べて延伸された下部構造を水面からやや水面下に設置し、吸引するブース循環水の表層部分が流動性を保つために必要な最小限のブース循環水をすくい取るように、塗料粕吸引捕集部５の上下位置をフロート６で調節する。この塗料粕吸引捕集部の、ブース循環水の水面に対する位置が上過ぎると、吸引されるブース循環水の表層部分の流動性を保つために必要なブース循環水の割合が減り、かつ、不要な空気を吸引し、送液運転の安定性に支障を来たす。また、塗料粕吸引捕集部の、ブース循環水の水面に対する位置が下過ぎると、ブース循環水の割合が増えて吸引物の流動性は良くなるが、水面上に浮上している不粘着化した塗料粕７の捕集率が低下し、効率的な塗料粕回収を達成することが難しくなる。
【００２７】
該塗料粕吸引捕集部５はホースで容積式ポンプ８に接続されるが、このホースは一旦、粕池に沈めた後、水面から立ち上げて容積式ポンプ８に接続することにより、不要な空気を吸引することを防ぐ。容積式ポンプ７は粕池の「岸」の地上部に設置する。このようにして捕集回収された塗料粕は後続の固液分離装置（図１ではスキマー付き加圧浮上装置９）に移送されて、より濃縮された塗料粕を得ることができる。
【００２８】
本考案の効果を減じない範囲で、本考案の塗料粕捕集回収装置に、他の処理剤や他の装置を併用することができる。例えば、臭気対策処理剤、微生物製剤、及び消泡剤（ただし、完全に泡を消すと塗料粕の捕集率が低下する）などを併用することができ、また、粕池に曝気装置などを設置するのもよい。
【実施例】
【００２９】
以下に本考案を具体的に説明するが、本考案はこれらの実施例に限定されるものではない。
【００３０】
（実施例１）
本考案の実施形態の一例を図１に示す。湿式塗装ブースには、被塗装物に塗料を噴霧するための塗装室１、未塗着塗料をブース循環水に接触させてブース循環水中に捕集する接触部２、ブース循環水を貯留可能な粕池３、及びブース循環水を循環する循環ポンプ４が備えられている。接触部２においてブース循環水中に捕集された未塗着塗料は、そのブース循環水に循環ポンプ４の吸入側で添加されていた不粘着化剤１４によって不粘着化され、更に接触部２から粕池への落ち口近傍に添加された高分子凝集剤１５によって凝集し、粕池のブース循環水表面に浮上し不粘着化した塗料粕７が形成される。フロート６で上下位置を調整した塗料粕吸引捕集部５は容積式ポンプ８に接続され、容積式ポンプ８を稼動させることにより、ブース循環水の表面に浮上した不粘着化した塗料粕７、及びブース循環水を含むブース循環水の表層部分を塗料粕吸引捕集部５で吸引捕集する。容積式ポンプ８は粕池の「岸」の地上部に設置した。このようにして捕集回収された塗料粕は容積式ポンプ８から後続のスキマー付き加圧浮上装置９に移送され、加圧水１０（コンプレッサー等は省略）と混合されて加圧浮上装置９の水面に浮上分離しスキマー１１で掻き取られ、より濃縮された塗料粕１２として回収される。また、塗料粕を分離した後の処理水１３は粕池３に戻される。
【００３１】
実施例１は、図１の実施形態に従って実施したものであり、使用塗料は自動車用の水性ベース塗料であって、不粘着化剤１４としては、メラミン−アルデヒド樹脂酸コロイドを５重量％対未塗着塗料、高分子凝集剤１５としては、アクリルアミド−アクリル酸共重合体を０．５重量％対未塗着塗料を用いた。塗料粕吸引捕集部５の開口部（＝吸込口）はブース循環水の水面に対して垂直方向に開口しており、ブース循環水の表層部分を横向きに吸引する形状であって、該開口部の下部が上部に比べて延伸された形状を有する。その開口部の模式図を図２に示した。また、容積式ポンプ８としては、エア駆動式ダイヤフラムポンプであるウェルデンポンプ（商品名：Wilden Pump＆Engineering社（アメリカ）製）を用いた。このウェルデンポンプは粕池の「岸」の地上部に設置し、その送液量は、約１００Ｌ／分であり、また、粕池水面からの揚程は約１０ｍであった。
【００３２】
効果は、（３日間に発生した未塗着塗料の総乾燥重量＋３日間に添加した薬剤の総乾燥重量）に対する３日間に加圧浮上装置によって回収された塗料粕の総乾燥重量の割合（％）で算出される、３日間運転後の塗料粕回収率で評価した。
【００３３】
（実施例２）
実施例２は、使用塗料を自動車用の油性クリア塗料に替えた以外は、実施例１と同じ条件であった。
【００３４】
（実施例３）
実施例３は、使用塗料を自動車用の水性ベース塗料と油性クリア塗料の２種併用に替えた以外は、実施例１と同じ条件であった。その水性ベース塗料と油性クリア塗料の未塗着塗料重量比は約２：１であった。
【００３５】
（比較例１）
比較例１は、塗料粕吸引捕集部５を、図３に示した、開口部（＝吸込口）がブース循環水の水面に対して垂直方向に開口しており、ブース循環水の表層部分を横向きに吸引する形状であるが、該開口部の下部と上部は同じ長さ・垂直位置にある形状の塗料粕吸引捕集部に取り替えた以外は、実施例１と同じ条件であった。
【００３６】
（比較例２）
比較例２は、塗料粕吸引捕集部５を、図４に示した、開口部がブース循環水の水面に対して水平方向に開口し、上向きの吸込口からブース循環水の表層部分を吸引する形状の塗料粕吸引捕集部に取り替えた以外は、実施例１と同じ条件であった。
【００３７】
（比較例３）
比較例３は、塗料粕吸引捕集部５と容積式ポンプ８（ウェルデンポンプ）を従来のフロートポンプ（上向きの吸込口に水中ポンプを直結した形式）に替えた以外は、実施例１と同じ条件であった。
【００３８】
実施例１〜３と比較例１〜３の結果を表１に示した。
【００３９】
【表１】
0003196996.tif 000003
【００４０】
実施例１〜３では、良好な塗料粕回収率が得られた。比較例１では、開口部（＝吸込口）の下層からもブース循環水を吸引するため、相対的に塗料粕の吸引量が低下し、効率的な塗料粕の回収ができず、塗料粕回収率は低い値となった。比較例２では、塗料粕吸引捕集部の吸込口の外縁部に大きい滓が引っ掛かり、吸込口への浮上塗料粕の回収が妨げられたため、塗料粕回収率は低い値となった。比較例３では、フロートポンプの揚程が短いため、加圧浮上装置まで安定的に送液することができず、塗料粕の回収はほとんどできなかった。
【００４１】
以上の結果から、本考案の塗料粕捕集回収装置によれば、湿式塗装ブース粕池のブース循環水の表面に浮上した塗料粕が大きな塗料粕や泡状の塗料粕であっても、必要最小限のブース循環水を吸引する吸込口形状によって効率的に捕集回収でき、かつ、粕池液面とポンプ設置部の高低差が大きい場合も、十分なポンプ揚程が得られ、キャビテーション現象やエアハンマ現象を起こして稼動停止になることの無い、安定で効率的な湿式塗装ブースの塗料粕捕集回収を達成することができることが示された。
【符号の説明】
【００４２】
１：塗装室
２：接触部
３：粕池
４：循環ポンプ
５：塗料粕吸引捕集部
６：フロート
７：粕池ブース循環水の表面に浮上した不粘着化した塗料粕
８：容積式ポンプ 
９：スキマー付き加圧浮上装置
１０：加圧水
１１：スキマー 
１２：より濃縮された塗料粕
１３：処理水
１４：不粘着化剤
１５：高分子凝集剤
１６：水面に対して垂直方向に開口し、横向きの吸込口を有する塗料粕吸引捕集部
１７：水面に対して垂直方向に開口し、横向きの吸込口の延伸された下部構造
１８：フロート
１９：塗料粕吸引捕集部と容積式ポンプを接続するホース
２０：水面に対して水平方向に開口し、上向きの吸込口
２１：水面
0003196996.tif 000004
：ブース循環水の表層部分の流れを示す
【図１】
0003196996.tif 000005
【図２】
0003196996.tif 000006
【図３】
0003196996.tif 000007
【図４】
0003196996.tif 000008
【手続補正書】
【提出日】平成27年2月6日(2015.2.6)
【手続補正１】
【補正対象書類名】実用新案登録請求の範囲
【補正対象項目名】全文
【補正方法】変更
【補正の内容】
【実用新案登録請求の範囲】
【請求項１】
湿式塗装ブースの粕池において、ブース循環水の表面に浮上した不粘着化した塗料粕、及びブース循環水を含むブース循環水の表層部分を吸引する塗料粕吸引捕集部と、容積式ポンプを接続する塗料粕捕集回収装置であって、その塗料粕吸引捕集部の開口部が、ブース循環水の表層部分を横向きに吸引するように、ブース循環水の水面に横向きに開口し、該開口部の下部が上部に比べて延伸された形状を有することを特徴とする塗料粕捕集回収装置。 
【手続補正２】
【補正対象書類名】明細書
【補正対象項目名】００１１
【補正方法】変更
【補正の内容】
【００１１】  本考案者は、前記課題を達成するために鋭意研究を重ねた結果、開口部が、ブース循環水の表層部分を横向きに吸引するように、ブース循環水の水面に横向きに開口する、すなわち、横方向に開口して設置されている塗料粕吸引捕集部の開口部（＝吸込口）の下部が上部に比べて延伸された形状であれば、大きな塗料粕や泡状の塗料粕であっても効率的に捕集回収でき、かつ、延伸された下部構造が開口部の下層からブース循環水の吸込みを抑え、その下部の先端部で必要最小限のブース循環水をすくい取るように吸引できることができることを見出した。また、この塗料粕吸引捕集部に、キャビテーション現象が起こらず、エアハンマ現象も起こしにくい容積式ポンプを接続することによって、粕池液面とポンプ設置部の高低差が大きい場合も、十分なポンプ揚程が得ることができ、本考案を成すに至った。
【手続補正３】
【補正対象書類名】明細書
【補正対象項目名】００１２
【補正方法】変更
【補正の内容】
【００１２】  すなわち、請求項１に係る考案は、湿式塗装ブースの粕池において、ブース循環水の表面に浮上した不粘着化した塗料粕、及びブース循環水を含むブース循環水の表層部分を吸引する塗料粕吸引捕集部と、容積式ポンプを接続する塗料粕捕集回収装置であって、その塗料粕吸引捕集部の開口部が、ブース循環水の表層部分を横向きに吸引するように、ブース循環水の水面に横向きに開口し、該開口部の下部が上部に比べて延伸された形状を有することを特徴とする塗料粕捕集回収装置である。
【手続補正４】
【補正対象書類名】明細書
【補正対象項目名】００１４
【補正方法】変更
【補正の内容】
【００１４】
【図１】本考案の実施例における全体構成を説明するための概略図である。
【図２】本考案の塗料粕捕集回収装置における、水面に横向きに開口し、横向きに吸引する形状であって、該開口部の下部が上部に比べて延伸された形状を有する塗料粕吸引捕集部の一例を示す図である。
【図３】比較例１の塗料粕捕集回収装置における、水面に横向きに開口し、横向きに吸引する形状であって、該開口部の下部と上部が同じ長さ・垂直位置にある形状を有する塗料粕吸引捕集部の一例を示す図である。
【図４】比較例２、３の塗料粕捕集回収装置における、水面に対して水平方向に開口し、上向きの吸込口を有する塗料粕吸引捕集部の一例を示す図である。
【手続補正５】
【補正対象書類名】明細書
【補正対象項目名】００１５
【補正方法】変更
【補正の内容】
【００１５】  本考案は、湿式塗装ブースの粕池において、ブース循環水の表面に浮上した不粘着化した塗料粕、及びブース循環水を含むブース循環水の表層部分を吸引する塗料粕吸引捕集部と、容積式ポンプを接続する塗料粕捕集回収装置であって、その塗料粕吸引捕集部の開口部が、ブース循環水の表層部分を横向きに吸引するように、ブース循環水の水面に横向きに開口し、該開口部の下部が上部に比べて延伸された形状を有することを特徴とする塗料粕捕集回収装置である。
【手続補正６】
【補正対象書類名】明細書
【補正対象項目名】００２２
【補正方法】変更
【補正の内容】
【００２２】  本考案における塗料粕吸引捕集部は、湿式塗装ブースの粕池において、ブース循環水の表面に浮上した不粘着化した塗料粕、及びブース循環水を含むブース循環水の表層部分を吸引する構造物であり、その開口部（＝吸込口）が、ブース循環水の表層部分を横向きに吸引するように、ブース循環水の水面に横向きに開口し、該開口部の下部が上部に比べて延伸された形状を有することを特徴とする。
【手続補正７】
【補正対象書類名】明細書
【補正対象項目名】００３１
【補正方法】変更
【補正の内容】
【００３１】  実施例１は、図１の実施形態に従って実施したものであり、使用塗料は自動車用の水性ベース塗料であって、不粘着化剤１４としては、メラミン−アルデヒド樹脂酸コロイドを５重量％対未塗着塗料、高分子凝集剤１５としては、アクリルアミド−アクリル酸共重合体を０．５重量％対未塗着塗料を用いた。塗料粕吸引捕集部５の開口部（＝吸込口）はブース循環水の水面に横向きに開口しており、ブース循環水の表層部分を横向きに吸引する形状であって、該開口部の下部が上部に比べて延伸された形状を有する。その開口部の模式図を図２に示した。また、容積式ポンプ８としては、エア駆動式ダイヤフラムポンプであるウェルデンポンプ（商品名：Wilden Pump＆Engineering社（アメリカ）製）を用いた。このウェルデンポンプは粕池の「岸」の地上部に設置し、その送液量は、約１００Ｌ／分であり、また、粕池水面からの揚程は約１０ｍであった。
【手続補正８】
【補正対象書類名】明細書
【補正対象項目名】００３５
【補正方法】変更
【補正の内容】
【００３５】（比較例１）  比較例１は、塗料粕吸引捕集部５を、図３に示した、開口部（＝吸込口）がブース循環水の水面に横向きに開口しており、ブース循環水の表層部分を横向きに吸引する形状であるが、該開口部の下部と上部は同じ長さ・垂直位置にある形状の塗料粕吸引捕集部に取り替えた以外は、実施例１と同じ条件であった。
【手続補正９】
【補正対象書類名】明細書
【補正対象項目名】００４２
【補正方法】変更
【補正の内容】
【００４２】１：塗装室２：接触部３：粕池４：循環ポンプ５：塗料粕吸引捕集部６：フロート７：粕池ブース循環水の表面に浮上した不粘着化した塗料粕８：容積式ポンプ９：スキマー付き加圧浮上装置１０：加圧水１１：スキマー１２：より濃縮された塗料粕１３：処理水１４：不粘着化剤１５：高分子凝集剤１６：水面に横向きに開口し、横向きの吸込口を有する塗料粕吸引捕集部１７：水面に横向きに開口し、横向きの吸込口の延伸された下部構造１８：フロート１９：塗料粕吸引捕集部と容積式ポンプを接続するホース２０：水面に対して水平方向に開口し、上向きの吸込口２１：水面0003196996.tif 000009
：ブース循環水の表層部分の流れを示す